(57)【要約】【課題】  ダンパー付きの排煙窓においては、ダンパーが火災に巻き込まれて、ダンパーのガス等が爆発し、発生する圧力が大きい場合に、対処できる排煙窓を提供できるようにすること。【解決手段】本発明に係る排煙窓は、サッシ枠２の上枠２０において、障子３の上框３０がヒンジ結合されて、図１（Ａ）及び（Ｂ）のように障子３の下側が屋外側に突出するように取り付けられているもので、サッシ枠２の左右の縦枠２１、２２側に、ダンパー４の上端の軸部４０が取り付けられ、障子３の左右の縦框３１、３２にダンパー４の下端の軸部４１が取り付けられている。かかる排煙突出し窓１において、前記ダンパー４の下端の軸部４１を含むダンパー４の下端部４２から下方にかけて、その下端部４２が屋内側に対向する位置のサッシ枠２の前記縦枠２１、２２に補強材５が取り付けられている。【選択図】図３
2019011637.tif 000002
【特許請求の範囲】
【請求項１】
排煙突出し窓に取付けられたダンパーの下端部から下方が、サッシ枠の縦枠の屋内側で、且つ、前記ダンパーに対向する位置に取付けられた補強材に覆われていることを特徴とする排煙突出し窓。
【請求項２】
前記補強材は、少なくとも一面の見付片からなることを特徴とする請求項１に記載の排煙突出し窓。
【請求項３】
前記補強材と、これを取付ける前記縦枠とは面接触していることを特徴とする請求項１に記載の排煙突出し窓。
【請求項４】
前記補強材は、二面の見付片を備えていることを特徴とする請求項１に記載の排煙突出し窓。
【請求項５】
前記補強材は、二面の見込片を備えていることを特徴とする請求項２に記載の排煙突出し窓。
【発明の詳細な説明】
【技術分野】
【０００１】
本発明は、火災等の際に屋内の煙を屋外に逃すための排煙窓に関するものである。
【背景技術】
【０００２】
排煙設備としての排煙窓には、窓の開放をスムーズに行えるように、ダンパー付きの排煙窓が従来より知られている。
【０００３】
例えば特許文献１には、枠１の竪枠１３と障子２の竪框１７の間にダンパー２９が取り付けられた排煙突出し窓が開示されている。
このような排煙窓においては、火災により惹起されるダンパーの問題点も解決されなければならない。
【０００４】
特許文献２は、その問題点を次のように記載している。
即ち、「排煙窓１の縦框３ａとアタッチメント枠４との間の空間に難燃性のオイルを含むステイダンパー６を設置していると、加熱でオイルが燃焼したり飛散したりする可能性があり、戸当り部４ａと障子３の縦框３ａとの隙間から屋内に火炎やオイル等が侵入する恐れがあった（段落０００６参照）旨を記載している。
【０００５】
このように問題点の解決方法として、同文献は、「ステイダンパー３４を隔壁３３等で仕切られた空間ｋ１内に収納したこと」で、「火災の際にステイダンパー３４に収納したオイルが屋内側に飛散したりすることを隔壁３３によって防ぐようにしている」としている（段落００２０参照）。
【０００６】
さらに、「空間ｋ１内において、ステイダンパー３４におけるオイルの爆発や飛散等から排煙窓１４を保護するために、第一〜第四の加熱発泡材３６，３７，３８、３９を設けている」旨を記載している（段落００２１及び００２２参照）。
【０００７】
しかし、排煙突出し窓に取付けられたダンパーに充填されているガス等の爆発によって発生する圧力が大きい場合には、その圧力によって加熱発泡材は吹き飛ばされてしまうおそれがある。しかもその圧力により排煙窓のサッシ枠が変形してしまう場合に、その変形された隙間から火炎が侵入して、屋内外に炎が貫通してしまう恐れがあった。
【先行技術文献】
【特許文献】
【０００８】
【特許文献１】特開２０１４−９５２８９号公報
【特許文献２】特開２０１５−４８６９２号公報
【発明の概要】
【発明が解決しようとする課題】
【０００９】
そこで、本発明は、ダンパー付きの排煙突出し窓において、ダンパーが火災に巻き込まれて、ダンパーのガス等が爆発し、発生する圧力が大きい場合に、対処できる排煙突出し窓を提供できるようにすることとする。
【課題を解決するための手段】
【００１０】
上記課題を解決するため、排煙突出し窓に取付けられたダンパーの下端部から下方が、サッシ枠の縦枠の屋内側に対向する位置に取付けられた補強材に覆われていることを特徴とする排煙突出し窓とした（請求項１に記載の発明）。
【００１１】
上記発明において、前記補強材は、少なくとも一面の見付片からなることを特徴とする排煙突出し窓とした（請求項２に記載の発明）。
【００１２】
上記発明において、前記補強材と、これを取付ける前記縦枠とは面接触していることを特徴とする排煙突出し窓とした（請求項３に記載の発明）。
【００１３】
上記発明において、前記補強材は、二面の見付片を備えていることを特徴とする排煙突出し窓とした（請求項４に記載の発明）。
【００１４】
上記発明において、前記補強材は、二面の見込片を備えていることを特徴とする排煙突出し窓とした（請求項５に記載の発明）。
【発明の効果】
【００１５】
ダンパーの下端部から下方が、サッシ枠の縦枠の屋内側に対向する位置に取付けられた補強材に覆われているので、ダンパーのガス等が火災により爆発した場合、その圧力を補強材が受けることにより、排煙突出し窓の縦枠の変形が抑制される。
よって、その変形の隙間から火炎が侵入して、屋内外に炎が貫通してしまうことが抑制される。
【図面の簡単な説明】
【００１６】
【図１】（Ａ）  本発明に係る排煙突出し窓の斜視図、（Ｂ）  同窓が開放された場合の斜視図、
【図２】第１実施例に係る排煙突出し窓の横断面図、
【図３】同窓の見込方向の側面図、
【図４】同窓の見付方向の側面図、
【図５】第２実施例に係る排煙突出し窓の横断面図、
【図６】同窓の見込方向の側面図、
【図７】同窓の見付方向の側面図、
【図８】第３実施例に係る排煙突出し窓の要部横断面図、
【図９】同窓の見込方向の側面図、
【図１０】同窓の見付方向の側面図、
【図１１】第４実施例に係る排煙突出し窓の要部横断面図、
【図１２】同窓の見込方向の側面図、
【図１３】同窓の見付方向の側面図。
【発明を実施するための形態】
【００１７】
本発明に係る排煙突出し窓１は、サッシ枠２の上枠２０において、障子３の上框３０がヒンジ結合されて、図１（Ａ）及び（Ｂ）のように障子３の下側が屋外側に突出するように取り付けられているもので、サッシ枠２の左右の縦枠２１、２２側に、ダンパーとして、例えばガスステイダンパー（以下、単にダンパー）４の上端の軸部４０が取り付けられ、障子３の左右の縦框３１、３２にダンパー４の下端の軸部４１が取り付けられている。
かかる排煙突出し窓１において、本発明の特徴は、前記ダンパー４の下端の軸部４１を含むダンパー４の下端部４２から下方にかけて、その下端部４２が屋内側に対向する位置のサッシ枠２の前記縦枠２１、２２に補強材５を取り付けたことである。
よって、図１のように屋内側の前記縦枠２１、２２の見付方向から見て、前記ダンパー４はその下端部４２から下方にかけて、補強材５に覆われていることとなる。
【００１８】
前記排煙突出し窓１においては、同一に構成された左右の縦枠２１、２２及び左右の縦框３１、３２に沿って一対のダンパー４が取り付けられているが、以下の詳細な説明においては、サッシ枠２及び障子３の構成例について、右縦枠２２及び右縦框３２に沿って取り付けられたダンパー４を代表させて説明する。
また、前記排煙突出し窓１は、サッシ枠２に障子３が閉鎖されている状態の構成例とする。
【００１９】
図２乃至図４に基づいて、第１実施例に係る排煙突出し窓１の構成例を説明する。
同窓のサッシ枠２の右縦枠（以下、単に枠とも称する）２２は、サッシ枠２が取り付けられる開口１０の鉛直方向の長手に沿って、屋内側見付面部２３と外側見込面部２４を備え、屋内側見付面部２３の端部には気密材取付部２５が設けられている。
同窓の障子３の右縦框（以下、単に框とも称する）３２は、前記枠２２の外側見込面部２４に対面する内側見込面部３４と、前記屋内側見付面部２３に対面する屋外側見付面部３３を備えている。
前記枠２２の屋内側見付面部２３及び外側見込面部２４と、前記框３２の内側見込面部３４及び屋外側見付面部３３により、ダンパー４を収容する空間３５が形成されている。
【００２０】
前記ダンパー４のシリンダー４３の上端の軸部４０が、前記枠２２の外側見込面部２４に取り付けられ、図３のように前記ダンパー４のロッド４５の下端の軸部４１が、前記框３２の内側見込面部３４に取り付けられている。
【００２１】
このような構成の排煙突出し窓１に対し、前記補強材５は、図２〜図４のように、前記空間３５に配置されると共に、前記屋内側見付面部２３に対面する見付片５０と前記外側見込面部２４に対面する見込片５１を備え、その横断面の形状が略Ｌ字状に成形されている。
【００２２】
前記補強材５の配置位置は、前記ダンパー４に充填されているガスが、火災により急速に熱膨張して、前記ダンパー４のロッド４５が出没するシリンダー４３の下部の開口部４４から噴出することから、その圧力から枠２２を保護できるようにするため、少なくとも前記ダンパー４のシリンダー４３の下端部４２より下方を覆うことができる位置とする。
【００２３】
即ち、前記補強材５の上端は、図３のように、前記ダンパー４の下端部４２に位置（同位置または若干上方）し、前記補強材５の下端は、サッシ枠２の下枠２６に略接する位置に配置されている。
よって、シリンダー４３の下端部４２から下方に向うガス爆発の圧力に対して前記枠２２を保護することができる。
【００２４】
前記見付片５０の横幅は、図２のように、前記枠２２の屋内側見付面部２３の横幅に対し、前記気密材取付部２５の幅分、小さな寸法となっている。
この見付片５０は前記屋内側見付面部２３の屋外側面に対して、面接触するように固定されており、前記見付片５０と前記屋内側見付面部２３の屋外側面間に、前記圧力が入り込まないようになっている。
【００２５】
前記見込片５１は、前記枠２２の外側見込面部２４の横幅の、少なくとも約半分程度の幅で設けられ、この見込片５１が前記外側見込面部２４に固定（裏板にネジ止め）されることで、前記補強材５が前記枠２２に固定されている。
以上のように構成される補強材５は、前記圧力に抗することができれば、その材質は限定されることはないが、この実施例ではステンレスが用いられ、約３ミリメートルの板厚となっている。
【００２６】
なお、前記圧力は、前記障子３の屋外側見付面部３３にも向かうが、その圧力により前記屋外側見付面部３３が変形することで、前記補強材５に向う圧力を弱めることができる。
【００２７】
以上のような構成の排煙突出し窓１による効果は、次のようである。
（１）  火災により、前記ダンパー４のガス等が爆発し、発生する圧力が大きい場合であっても、その圧力を前記補強材５が受けることにより、前記枠２２の屋内側見付面部２３の変形が抑制される。
（２）  前記障子３の屋外側見付面部３３が前記ガス爆発の圧力を受けて変形する一方、弱められた圧力を前記補強材５が受けることにより、前記枠２２の屋内側見付面部２３の変形が抑制される。
（３）  前記補強材５の見付片５０は前記屋内側見付面部２３の屋外側面に対して、面接触するように固定されており、前記見付片５０と前記屋内側見付面部２３の屋外側面間に、前記圧力が入り込まないようになっている。
【００２８】
本発明の第２の実施例に係る排煙突出し窓の補強材は、図５のように前記補強材５に加え、前記障子３の内側見込面部３４に固定される第２の補強材５２を設けている。
この第２の補強材５２も見付片５０を備えており、その配置位置は前記補強材５と同じでよいが、図６及び図７のように、その上端が前記補強材５より下方に位置するものの、前記ダンパー４のシリンダー４３の下端部４２より下方を覆うことができる位置となっている。
【００２９】
前記補強材５の見付片５０に第２の補強材５２の見付片５０を加えることで、
二面の見付片５０、５０を備えることとなり、前記圧力により前記枠２２の屋内側見付面部２３が多少変形しても、火炎の貫通を防ぐことができる。
また、第２の補強材５２の存在により前記補強材５が受ける前記圧力を減衰させることができる。
その他の第２の実施例に係る排煙突出し窓１の構成及び効果は、第１の実施例に係る排煙突出し窓１と同様である。
【００３０】
本発明の第３の実施例に係る排煙突出し窓１の補強材５は、図８のように、前記見込片５１と前記見付片５０を備えた前記補強材５に関し、第２の見付片５３を設けたもので、第２の見付片５３は、前記見込片５１の端部から前記見付片５０に略平行に形成されている。
【００３１】
前記第２の実施例に係る補強材５では、障子３側に第２の補強材５２を設け、その第２の補強材５２に見付片５０を設けているが、この第３の実施例に係る補強材５では、第２の見付片５３を枠２２側に固定する補強材５と一体に形成したもので、二面の見付片５０、５３を備えることとなり、前記第２の実施例に係る補強材５と同様な作用効果を得ることができる。
その他の第３の実施例に係る排煙突出し窓１の構成及び効果は、上記各実施例に係る排煙突出し窓１と同様である。
【００３２】
本発明の第４の実施例に係る排煙突出し窓１の補強材５は、前記見込片５１と前記見付片５０を備えた前記補強材５に関し、第２の見込片５４を設けたもので、図１１のように、第２の見込片５４は、前記見付片５０の端部から前記見込片５１に略平行に形成されており、二面の見込片５１、５４を備えている。
【００３３】
その他の第４の実施例に係る排煙突出し窓１の構成及び効果は、上記各実施例に係る排煙突出し窓１と同様である。
【００３４】
本発明は、以上説明した実施形態に限定されるものではなく、多くの変形が本発明の技術的思想内で当分野において、通常の知識を有する者により可能である。
【符号の説明】
【００３５】
１  排煙突出し窓                        １０  開口
２  サッシ枠                            ２０  上枠
２１  ２２  左右縦枠                    ２３  屋内側見付面部
２４  外側見込面部                      ２５  気密材取付部
２６  下枠
３  障子                                ３０  上框
３１  ３２  左右縦框                    ３３  屋外側見付面部
３４  内側見込面部                      ３５  空間
４  ダンパー                            ４０  上端の軸部
４１  下端の軸部                        ４２  下端部
４３  シリンダー                        ４４  シリンダーの開口部
４５  ロッド
５  補強材                              ５０  見付片
５１  見込片
５２  第２の補強材                      ５３  第２の見付片
５４  第２の見込片
【図１】
2019011637.tif 000003
【図２】
2019011637.tif 000004
【図３】
2019011637.tif 000005
【図４】
2019011637.tif 000006
【図５】
2019011637.tif 000007
【図６】
2019011637.tif 000008
【図７】
2019011637.tif 000009
【図８】
2019011637.tif 000010
【図９】
2019011637.tif 000011
【図１０】
2019011637.tif 000012
【図１１】
2019011637.tif 000013
【図１２】
2019011637.tif 000014
【図１３】
2019011637.tif 000015